(57)【要約】      （修正有） 【課題】音声メッセージが消去されることを確実に防止できるととともに、写真を容易に差し替えることが可能な音声録音再生機能を有するフォトフレームカードを提供する。【解決手段】音声録音再生機能を有するフォトフレームカードは、メッセージを書き込むためのメッセージ台紙１と、メッセージ台紙の一方の面に貼り付けられた写真のフレーム２と、メッセージ台紙の一方の面と反対側の他方の面に貼り付けられ、音声の録音及び再生を行なう音声録音再生装置を具備する本体と、本体にその一部が挿入された録音防止部材２０１とを具備し、フレームは、メッセージ台紙との間に写真を挿入できるように貼り付けられ、音声録音再生装置は、録音防止部材の検知機構を有し、録音防止部材が本体にその一部が挿入されている場合には、音声の録音が可能であり、本体から外されている場合には、音声の録音を防止する。【選択図】図１
0003213305.tif 000002
【実用新案登録請求の範囲】
【請求項１】
メッセージを書き込むためのメッセージ台紙と、
前記メッセージ台紙の一方の面に貼り付けられた写真のフレームと、
前記メッセージ台紙の一方の面と反対側の他方の面に貼り付けられ、音声の録音及び再生を行なう音声録音再生装置を具備する本体と、
前記本体にその一部が挿入された録音防止部材と
を具備し、
前記フレームは、前記フレームと、前記メッセージ台紙との間に写真を挿入することができるように貼り付けられ、
前記音声録音再生装置は、前記録音防止部材が前記本体にその一部が挿入されている場合には、音声の録音が可能であり、前記録音防止部材が前記本体から外されている場合には、音声の録音をできない、
音声録音再生機能を有するフォトフレームカード。
【請求項２】
前記フレームはシール部を有する、請求項１記載のフォトフレームカード。
【請求項３】
前記音声録音再生装置は、
ネットワークとの通信部をさらに具備し、
前記通信部を介して、前記ネットワークから音声を取得し、この取得した音声を録音する、
請求項１記載のフォトフレームカード。
【請求項４】
前記音声録音再生装置は、
前記フォトフレームカードが、人感センサにより検知する検知手段をさらに具備し、
前記検知手段が人間を検知した場合、前記録音された音声を再生する、
請求項１記載のフォトフレームカード。
【考案の詳細な説明】
【技術分野】
【０００１】
本考案は、音声録音再生機能を有するフォトフレームカードに関する。
【背景技術】
【０００２】
贈り物に使用され、写真を貼付することができるフォトフレームカードが良く知られている。また、近年では、フォトフレームカードに、着脱自在な音声録音再生装置を設けたフォトフレームカードも開発されている。
【０００３】
このようなフォトフレームカードは、多機能な音声録音再生装置を設けることにより、使用者の好みに応じた音声を適宜録音再生することができる。一方、音声録音再生装置が様々な音声を録音再生することができることに起因して、録音された音声が消去されることを防止するために、録音防止ボタンが設けられている。
【先行技術文献】
【特許文献】
【０００４】
【特許文献１】実用新案登録第３０５８２１５号公報
【考案の概要】
【考案が解決しようとする課題】
【０００５】
しかしながら、従来の音声録音再生装置を有するフォトフレームカードは、音声録音再生装置が多機能であるがために、コストがかかるとともに、フォトフレームカードが贈呈された使用者が高齢者である場合には、誤って録音防止ボタンをオフにした状態で、音声の録音を行なってしまうことにより、せっかくの贈呈者の音声メッセージを消去してしまうという事態が起こり易い。
【０００６】
また、このような高機能の音声録音再生装置を有するフォトフレームカードは、写真の載置部に写真を貼り付ける構造が採用されており、使用者にとっては、写真の差し替え作業が容易であるとは言い難い。
【０００７】
本考案は、上記実情に鑑みてなされたものであり、贈呈者の音声メッセージが消去されることを確実に防止することができるととともに、写真も容易に差し替えることが可能な音声録音再生機能を有するフォトフレームカードを提供することを目的とする。
【課題を解決するための手段】
【０００８】
実施形態によれば、メッセージを書き込むためのメッセージ台紙と、前記メッセージ台紙の一方の面に貼り付けられた写真のフレームと、前記メッセージ台紙の一方の面と反対側の他方の面に貼り付けられ、音声の録音及び再生を行なう音声録音再生装置を具備する本体と、前記本体にその一部が挿入された録音防止部材とを具備し、前記フレームは、前記フレームと、前記メッセージ台紙との間に写真を挿入することができるように貼り付けられ、前記音声録音再生装置は、前記録音防止部材が前記本体にその一部が挿入されている場合には、音声の録音が可能であり、前記録音防止部材が前記本体から外されている場合には、音声の録音をできない、音声録音再生機能を有するフォトフレームカード、である。
【考案の効果】
【０００９】
本考案によれば、贈呈者の音声メッセージが消去されることを確実に防止することができるととともに、写真も容易に差し替えることが可能な音声録音再生機能を有するフォトフレームカードを提供することができる。
【図面の簡単な説明】
【００１０】
【図１】本考案の一実施形態に係る音声録音再生機能を有するフォトフレームカードＦを表面から見た展開図である。
【図２】本考案の一実施形態に係る音声録音再生機能を有するフォトフレームカードＦを裏面から見た展開図である。
【図３】フォトフレームカードＦを折線ｄ１、ｄ２、ｄ３で折り畳んだ場合の表面を示す図である。
【図４】フォトフレームカードＦを折線ｄ１、ｄ２、ｄ３で折り畳んだ場合の裏面を示す図である。
【図５】折り畳まれた状態でのフォトフレームカードＦの録音防止部材２０１が挿入される側の側面を示す図である。
【図６】組み立てられた際のフォトフレームカードＦの斜視図である。
【図７】本体３に設けられた音声録音再生装置の構成を示す図である。
【考案を実施するための形態】
【００１１】
以下、図面を参照して、本考案の実施形態に係る音声録音再生機能を有するフォトフレームカードについて説明する。
【００１２】
図１は、本考案の一実施形態に係る音声録音再生機能を有するフォトフレームカードＦを表面から見た展開図である。図２は、本考案の一実施形態に係る音声録音再生機能を有するフォトフレームカードＦを裏面から見た展開図である。また、図３は、フォトフレームカードＦを折線ｄ１、ｄ２、ｄ３で降り畳んだ場合の表面を示す図であり、図４は、フォトフレームカードＦを折線ｄ１、ｄ２、ｄ３で降り畳んだ場合の裏面を示す図である。
【００１３】
同図において、実施形態のフォトフレームカードＦは、紙製のメッセージ台紙１の表面の一部に、写真の載置される領域が切り取られた長方形形状であって、紙製のフォトフレーム２が貼り付けられている。
【００１４】
メッセージ台紙１には、メッセージ台紙１の長辺と直交する方向（短辺方向と水平方向）に２つの折線ｄ１、ｄ２、ｄ３が形成されている。折線ｄ１の上部領域１ａの外側の長辺には折線ｄ３が形成され、折線ｄ３を介して、ベロ部１２が設けられている。このベロ部１２は、フォトフレームカードＦを組み立てた際に、メッセージ台紙１とフォトフレーム２との間に挿入され、組み立てられた際には、フォトフレームカードＦは、上部領域１ａを底面とし、中間領域１ｂ及び下部領域１ｃを側面とした形状となる。図６は、組み立てられた際のフォトフレームカードＦの斜視図である。
【００１５】
メッセージ台紙１の折線ｄ１とｄ２との間の中間領域１ｂには、フォトフレームカードＦの贈呈者がメッセージを記すためのメッセージ領域１１が形成されている。
【００１６】
メッセージ台紙１の折線ｄ２の下部の下部領域１ｃには、図２に示す本体３に設けられた図７に示す音声録音再生装置のマイク１０１に対応する位置に、図1に示す通りマイク用穴が形成されている。
【００１７】
また、本体３に設けられ、図７に示す音声録音再生ボタン１１４に対応する音声再生領域２１が、メッセージ台紙１を介したフォトフレーム２に設けられている。さらに、本体３の側面には、プラスチック製の録音防止部材２０１が挿入されている。
【００１８】
音声の録音を行なう場合、録音者は録音防止部材２０１が本体３に挿入された状態で、音声再生領域２１を押下し続け、マイク１０１に向かって音声を吹き込むことにより、録音を行なう。録音を終了する際には、音声再生領域２１の押下を終了する。
【００１９】
録音された音声の録音を防止する場合、録音防止部材２０１を本体３から外すことにより、本体３の音声録音再生装置が、録音防止部材が本体３から外されたことを検知し、再度の録音がされることを防止する。
【００２０】
メッセージ台紙１の表面の下部領域１ｃの写真が挿入される領域を除く外周領域、具体的には、メッセージ台紙１の下部領域１ｃの録音防止部材２０１側の短辺と２つの長辺には、フォトフレーム２が貼り付けられており、録音防止部材２０１と反対側の下部領域１ｃの短辺は、フォトフレーム２が貼り付けられておらず、挿入口を構成する。これにより、ユーザは、フォトフレーム２と、メッセージ台紙１の下部領域１ｃとの隙間に、前記挿入口から写真を挿入することができるとともに、簡便に写真を差し替えることができる。
【００２１】
メッセージ台紙１の裏面の下部領域１ｃには、図２に示すように、音声録音再生装置の録音再生を行なう回路が収納された本体３が貼り付けられている。本体３には、図７に示す電池１１３を収納するための電池カバー１０２が設けられており、この電池カバ−１０２は、ねじ１０３により開閉可能である。実施形態では、本体３は、メッセージ台紙１とは別に設けられるが、メッセージ台紙１と一体で形成されても良い。
【００２２】
図５は、折り畳まれた状態でのフォトフレームカードＦの録音防止部材２０１が挿入される側の側面を示す図である。同図において、検知機構１１６は、録音防止部材２０１が本体３から外されたことを検知する機構であり、機械的な検知機構、電気的な検知機構、又は、これらの組み合わせの機構であっても良い。
【００２３】
図７は、本体３に設けられた音声録音再生装置の構成を示す図である。
【００２４】
同図に示すように、音声録音再生装置は、制御部１１１、マイク１０１、スピーカ１１２、電池１１３、音声録音再生ボタン１１４、記憶部１１５及び検知機構１１６を具備する。
【００２５】
制御部１１１は、音声録音再生装置の録音再生処理全体の制御を司るものであり、録音部１２１及び再生部１２２を有する。電池１１３は、制御部１１１の他、音声録音再生装置の電源が必要な構成要素に電源を供給する、
マイク１０１は、ユーザからの音声などの音を集音し、制御部１１１の録音部１２１に送る。検知機構１１６は、録音防止部材２０１が本体３の検知機構１１６から外されたかを検知する機構であり、録音防止部材２０１が本体３に設けられた検知機構１１６から外されたことを制御部１１１に報知する。音声録音再生ボタン１１４は、押圧感知方式のボタンであり、ユーザにより音声再生領域２１が押下されることにより、押圧を感知した場合、押圧を感知したことを制御部１１１に報知する。
【００２６】
制御部１１１の録音部１２１は、検知機構１１６により録音防止部材２０１が外されたことが報知されておらず、音声録音再生ボタン１１４により、押圧を感知したことが報知された場合、マイク１０１より集音された音を記憶部１１５に記憶する。
【００２７】
制御部１１１の再生部１２２は、検知機構１１６により録音防止部材２０１が外されたことが報知され、音声録音再生ボタン１１４により、押圧を感知したことが報知された場合、記憶部１１５に記憶された音を再生し、この再生された音をスピーカ１１２を通して鳴らす。なお、再生部１２２は、録音した音声の他、音楽などを再生しても良い。
【００２８】
すなわち、実施形態によれば、検知機構１１６により録音防止部材２０１が外されたことが報知されている場合、音声が録音されることはなく、既に記憶部１１５に記憶された音声が再度の録音により消滅する恐れはない。
【００２９】
従って、実施形態によれば、録音防止部材２０１を設けることにより、フォトフレームカードＦに吹き込まれた贈呈者の音声が誤って消去されることを確実に防止することができるとともに、写真をメッセージ台紙１とフォトフレーム２との間に挿入することができるので、写真を容易に差し替えることができる。
【００３０】
なお、実施形態のフォトフレームカードＦは、下記のように構成することも可能である。
＜他の実施形態＞
１．  メッセージ台紙１の下部領域１ｃに貼り付けられたフォトフレーム２の反対面にシール部を設けて、フォトフレームカードＦをいろいろな場所に貼れるようにしても良い。
２．  フォトフレームカードＦの一部にクリップを設け、プレゼントなどに付けられるようにしても良い。
３．  実施形態では、音声録音再生装置の電源が、電池１１３により供給される場合について説明したが、ＵＳＢ端子を介して電源を供給しても良い。また、電池１１３は、太陽光発電パネルにより充電される電池であってもよい。これにより、電池１１３の取り換えの手間を省くことができ、よりコンパクトな構成を可能とする。
４．  フォトフレームカードＦに通信部を設け、ネットワークと連携させるとともに、アプリケーションプログラムを搭載して、アプリケーションプログラムにより、ネットワークを介して、記憶部１１５に記憶される音声データを取得しても良い。これにより、離れた場所でも音声を録音することができる。また、録音作業を第３者が行なうことが可能となる。
５．  フォトフレームカードＦの音声再生領域２１に代えて、又はこれに加え折り畳まれた状態から開かれた状態を検知し（機械的機構、光学的機構であるかを問わない）、開かれた状態を検知した場合、記憶部１１５に記憶された音楽が再生されるようにしても良い。
６．  フォトフレームカードＦの音声再生領域２１に代えて、又はこれに加え、タイマーを設け、記憶部１１５に記憶された音声や音楽は、タイマー式で再生されても良い。
７．フォトフレームカードＦの音声再生領域２１に代えて、又はこれに加え、使用者によるマイク１０１への声掛けに応答して反応する等の人感センサを設け、人感センサにより人間が検知された場合に、記憶部１１５に記憶された音声や音楽が再生されるようにしても良い。
【００３１】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００３２】
１…メッセージ台紙、２…フォトフレーム、３…本体、１１…メッセージ領域、１２…ベロ部、２１…音声再生領域、１０１…マイク、１０２…電池カバー、１１１…制御部、１１２…スピーカ、１１３…電池、１１４…音声録音再生ボタン、１１５…記憶部、１１６…検知機構、１２１…録音部、１２２…再生部、２０１…録音防止部材、ｄ１、ｄ２、ｄ３…折線。
【図１】
0003213305.tif 000003
【図２】
0003213305.tif 000004
【図３】
0003213305.tif 000005
【図４】
0003213305.tif 000006
【図５】
0003213305.tif 000007
【図６】
0003213305.tif 000008
【図７】
0003213305.tif 000009